(57)【特許請求の範囲】
【請求項１】
光源ユニットと、前記光源ユニットより出射された光が照射される被照射体とを備え、前記被照射体を鑑賞するための鑑賞システムを備える、展示装置であって、
前記被照射体は、部材と、前記部材上に配置された、右円偏光及び左円偏光のいずれか一方を反射する第一円偏光反射層とを備え、
前記光源ユニットは、前記第一円偏光反射層により反射される右円偏光及び左円偏光のいずれか一方又は自然光と、前記第一円偏光反射層により反射される円偏光の旋回方向とは逆向きの円偏光と、を切り替え可能に出射でき、
前記光源ユニットより出射される光を切り替えることにより、前記被照射体の色を変化させる、展示装置。
【請求項２】
光源ユニットと、前記光源ユニットより出射された光が照射される被照射体とを備え、前記被照射体を鑑賞するための鑑賞システムを備える、舞台装置であって、
前記被照射体は、部材と、前記部材上に配置された、右円偏光及び左円偏光のいずれか一方を反射する第一円偏光反射層とを備え、
前記光源ユニットは、前記第一円偏光反射層により反射される右円偏光及び左円偏光のいずれか一方又は自然光と、前記第一円偏光反射層により反射される円偏光の旋回方向とは逆向きの円偏光と、を切り替え可能に出射でき、
前記光源ユニットより出射される光を切り替えることにより、前記被照射体の色を変化させる、舞台装置。
【請求項３】
光源ユニットと、前記光源ユニットより出射された光が照射される被照射体とを備え、前記被照射体を鑑賞するための鑑賞システムであって、
前記被照射体は、部材と、前記部材上に配置された、右円偏光及び左円偏光のいずれか一方を反射する第一円偏光反射層とを備え、
前記部材が可視光領域で透明であり、
前記光源ユニットは、前記第一円偏光反射層により反射される右円偏光及び左円偏光のいずれか一方又は自然光と、前記第一円偏光反射層により反射される円偏光の旋回方向とは逆向きの円偏光と、を切り替え可能に出射でき、
前記光源ユニットより出射される光を切り替えることにより、前記被照射体の色を変化させる、鑑賞システム。
【請求項４】
前記被照射体が、前記第一円偏光反射層上、及び、前記部材と前記第一円偏光反射層の間のいずれか一方に、更に、第二円偏光反射層を備え、
前記第二円偏光反射層は、前記第一円偏光反射層により反射される円偏光の旋回方向とは逆向きの円偏光であって、前記第一円偏光反射層により反射される円偏光の選択反射波長とは異なる選択反射波長の円偏光を反射する、請求項３に記載の鑑賞システム。
【請求項５】
前記第一円偏光反射層が、コレステリック液晶相を固定してなる層を少なくとも１層以上含有する、請求項３又は４に記載の鑑賞システム。
【請求項６】
前記光源ユニットが、右円偏光と、左円偏光とを切り替え可能に出射する、請求項３〜５のいずれか一項に記載の鑑賞システム。
【請求項７】
前記光源ユニットが、光源と、偏光変換部とを備え、
前記偏光変換部は、光源から出射された光を透過させ、透過した光の偏光状態を右円偏光と左円偏光との間で切り替え可能である、請求項６に記載の鑑賞システム。
【請求項８】
前記偏光変換部が、直線偏光板と、λ／４波長板とを備え、
前記直線偏光板の透過軸と前記λ／４波長板の遅相軸とのなす角が変わるように、前記直線偏光板と前記λ／４波長板とは相対的に移動可能で、
前記直線偏光板と前記λ／４波長板とを相対的に移動させることで、前記偏光変換部を透過した光の偏光状態を右円偏光と左円偏光との間で切り替え可能である、請求項７に記載の鑑賞システム。
【発明の詳細な説明】
【技術分野】
【０００１】
本発明は、鑑賞システム、展示装置、舞台装置、及び、重合性液晶組成物に関する。
【背景技術】
【０００２】
変化する視覚効果を提供する鑑賞システムが知られている。上記のような鑑賞システムは観察者に良好な印象を与え、及び／又は、強い印象を与えることができ、販売品の陳列棚、ショーウィンドウ等の展示装置、及び、サーカス等で用いられる舞台装置等に用いられている。
なかでも、光が照射された対象物（以下、本明細書において「被照射体」ともいう。）の色が変化する鑑賞システムは、様々な演出に応用できるため、盛んに開発が進められている。【０００３】
この様な鑑賞システムとして、例えば、特許文献１には、照明による色の見えの変化が異なる色材を用いて模様等を形成し、照明源の違いに応じて表示態様及び／又はパターンを変化させる演出システムが記載されている。
【先行技術文献】
【特許文献】
【０００４】
【特許文献１】特開２００９−２９５４７２号公報
【発明の概要】
【発明が解決しようとする課題】
【０００５】
本発明者らは、特許文献１に記載された演出システムについて検討したところ、色材と光源との組み合わせに限りがあり、所望の視覚効果が得られない場合があること、及び、光源から照射される光の波長を色材に応じて変化させなければならず、光源の選定、準備、及び、制御が煩雑であるという問題を知見している。【０００６】
そこで、本発明は、より簡便な構成で、変化する視覚効果を提供できる鑑賞システムを提供することを課題とする。
また、本発明は、展示装置、舞台装置、及び、重合性液晶組成物を提供することも課題とする。
【課題を解決するための手段】
【０００７】
本発明者らは、上記課題を達成すべく鋭意検討した結果、以下の構成により上記課題を達成できることを見出した。【０００８】
［１］  光源ユニットと、光源ユニットより出射された光が照射される被照射体とを備え、被照射体を鑑賞するための鑑賞システムであって、被照射体は、部材と、部材上に配置された、右円偏光及び左円偏光のいずれか一方を反射する第一円偏光反射層とを備え、
光源ユニットは、第一円偏光反射層により反射される右円偏光及び左円偏光のいずれか一方又は自然光と、第一円偏光反射層により反射される円偏光の旋回方向とは逆向きの円偏光と、を切り替え可能に出射でき、光源ユニットより出射される光を切り替えることにより、被照射体の色を変化させる、鑑賞システム。
［２］  被照射体が、第一円偏光反射層上、及び、部材と第一円偏光反射層の間のいずれか一方に、更に、第二円偏光反射層を備え、第二円偏光反射層は、第一円偏光反射層により反射される円偏光の旋回方向とは逆向きの円偏光であって、第一円偏光反射層により反射される円偏光の選択反射波長とは異なる選択反射波長の円偏光を反射する、［１］に記載の鑑賞システム。
［３］  部材が可視光領域で透明である、［１］又は［２］に記載の鑑賞システム。
［４］  第一円偏光反射層が、コレステリック液晶相を固定してなる層を少なくとも１層以上含有する、［１］〜［３］のいずれかに記載の鑑賞システム。
［５］  光源ユニットが、右円偏光と、左円偏光とを切り替え可能に出射する、［１］〜［４］のいずれかに記載の鑑賞システム。
［６］  光源ユニットが、光源と、偏光変換部とを備え、偏光変換部は、光源から出射された光を透過させ、透過した光の偏光状態を右円偏光と左円偏光との間で切り替え可能である、［５］に記載の鑑賞システム。
［７］  偏光変換部が、直線偏光板と、λ／４波長板とを備え、直線偏光板の透過軸とλ／４波長板の遅相軸とのなす角が変わるように、直線偏光板とλ／４波長板とは相対的に移動可能で、直線偏光板とλ／４波長板とを相対的に移動させることで、偏光変換部を透過した光の偏光状態を右円偏光と左円偏光との間で切り替え可能である、［６］に記載の鑑賞システム。
［８］  ［１］〜［７］のいずれかに記載に鑑賞システムを備える、展示装置。
［９］  ［１］〜［７］のいずれかに記載の鑑賞システムを備える、舞台装置。
［１０］  溶剤と、重合性液晶化合物と、キラル剤と、重合開始剤と、を含有し、重合性液晶化合物が、アクリロイル基、及び、メタクリロイル基からなる群から選択される少なくとも１種の重合性基を、１分子中に１個以上含有する液晶化合物１と、重合性基を、１分子中に２個以上含有する液晶化合物２と、を含有し、溶剤の溶解パラメータが８〜９であり、かつ、沸点が５５〜１５０℃である、重合性液晶組成物。なお、溶解パラメータの単位は、（ｃａｌ／ｃｍ３）１／２である。
【発明の効果】
【０００９】
本発明によれば、より簡便な構成で、変化する視覚効果を提供できる鑑賞システムを提供できる。また、展示装置、舞台装置、及び、重合性液晶組成物も提供できる。
【図面の簡単な説明】
【００１０】
【図１】本発明の鑑賞システムの第一の実施形態を表す概略図である。
【図２】偏光変換部の一形態を表す概略図である。
【図３】本発明の鑑賞システムの第一の実施形態の変形例を表す概略図である。
【図４】本発明の鑑賞システムの第二の実施形態を表す概略図である。
【図５】本発明の展示装置の第一の実施形態を表す概略図である。
【図６】本発明の舞台装置の第一の実施形態を表す概略図である。
【図７】本発明の舞台装置の第二の実施形態を表す概略図である。
【発明を実施するための形態】
【００１１】
以下、本発明について詳細に説明する。
以下に記載する構成要件の説明は、本発明の代表的な実施態様に基づいてなされることがあるが、本発明はそのような実施態様に限定されるものではない。
なお、本明細書において、「〜」を用いて表される数値範囲は、「〜」の前後に記載される数値を下限値及び上限値として含む範囲を意味する。
また、本明細書中において、重合性基とは、重合反応に関与する基をいう。
なお、本発明における各図面は説明のための概略図であり、各部材等の形状、寸法、及び、相互の位置関係等は実際のものとは一致しないこともある。
また、本明細書において自然光とは、種々の振動方向を持つ偏光が混合し、異方性を示さない光を意図する。
【００１２】
［鑑賞システムの第一の実施形態］
図１は本発明の一実施形態に係る鑑賞システムの概略図である。
図１に示すように、本実施形態に係る鑑賞システム１００は、光源ユニット１０１と、光源ユニット１０１より出射された光Ｌが照射される被照射体１０４とを備える。光源ユニット１０１は、光源１０２と、偏光変換部１０３とを備え、偏光変換部１０３は光源１０２から出射された光を透過させるよう配置されている。
【００１３】
光源１０２は、被照射体１０４を照射するための光を出射する。光源１０２としては特に種類は制限されず、例えば、発光ダイオード（ＬＥＤ：Light emitting diode）；蛍光灯、キセノンランプ、水銀ランプ、ナトリウムランプ、及び、メタルハライドランプ等の放電ランプ；ハロゲンランプ、及び、白熱電球等のフィラメントを用いたランプ；無機、又は、有機ＥＬ（Electro-Luminescence）ランプ；等を用いることができる。
また、光源１０２としては、発光によって得られた波長の光をそのまま用いてもよく、蛍光体によって変換された光を用いてもよい。なお、光源の色（出射する光の波長）、明るさ、及び、形状等は所望の視覚効果に応じて選択される。
【００１４】
偏光変換部１０３は、光源１０２から出射された光を透過させ、透過した光の偏光状態を切り替える機能を有する。なお、本明細書において、偏光状態を切り替えるとは、右偏光及び左偏光のいずれか一方と、それとは旋回方向が逆向きの円偏光とを切り替える、又は、自然光と、右偏光及び左偏光のいずれか一方若しくは両方とを切り替えることを意図する。
また、切り替える、とは、透過する光の偏光状態が変化することを意図する。変化の形態としては特に制限されず、例えば、後述する直線偏光板の透過軸とλ／４波長板の遅相軸とのなす角が変わるように、直線偏光板とλ／４波長板とが相対的に移動可能に備える偏光変換部等である場合、直線偏光板の透過軸とλ／４波長板の遅相軸との相対的な移動は、連続的でも、段階的であってもよい。
【００１５】
なかでも、偏光変換部１０３が、光源１０２から出射された光を透過させ、透過した光の偏光状態を右円偏光と左円偏光との間で切り替え可能であると、被照射体１０４の色の変化がはっきりと観察者に知覚されやすく、より好ましい。
【００１６】
図２は、偏光変換部の一形態を表す概略図である。図２において、偏光変換部２００は、直線偏光板２０２と、直線偏光板２０２上に配置された、回転可能なλ／４波長板２０１とを備える。このとき、λ／４波長板２０１を回転させると、直線偏光板２０２の透過軸（図示しない）と、λ／４波長板２０１の遅相軸（図示しない）とのなす角が変わり、透過する光の偏光状態が変化する。例えば、直線偏光板２０２側から自然光が入射する際に、直線偏光板２０２の透過軸とλ／４波長板２０１の遅相軸とのなす角を４５°に設定するか、又は、上記なす角を−４５°に設定することにより、透過する光の偏光状態を右円偏光又は左円偏光に切り替えることができる。上記角度は、直線偏光板２０２面側からλ／４波長板２０１を観察した際、直線偏光板２０２の透過軸方向を０°とし、時計回り（右回り）を負の角度値で表す。
なお、偏光変換部としては上記形態に制限されず、直線偏光板の透過軸とλ／４波長板の遅相軸とのなす角が変わるように、直線偏光板とλ／４波長板とが相対的に移動可能であればよい。
直線偏光板は、光を特定の直線偏光に変換する機能を有する部材であればよく、主に、吸収型偏光子を利用できる。吸収型偏光子としては、ヨウ素系偏光子、二色性染料を利用した染料系偏光子、及びポリエン系偏光子などが用いられる。
上記λ／４波長板は、ある特定の波長の直線偏光を円偏光に（又は、円偏光を直線偏光に）変換する機能を有する板であり、特定の波長λｎｍにおける面内レタデーションＲｅ（λ）がＲｅ（λ）＝λ／４を満たす光学異方性層のことをいう。この式は、可視光領域のいずれかの波長（例えば、５５０ｎｍ）において達成されていればよいが、波長５５０ｎｍにおける面内レタデーションＲｅ（５５０）が、以下の関係を満たすことが好ましい。
１１５ｎｍ≦Ｒｅ（５５０）≦１５５ｎｍ
【００１７】
偏光変換部１０３としては、上記で説明した以外にも、例えば、着脱可能に配置された右偏光板、及び／又は、左偏光板であってもよい。この場合、例えば、右偏光板及び左円偏光板のいずれか一方を配置して光源より光照射を行った後、上記右偏光板（又は左円偏光板）を取り外し、旋回方向が逆向きである偏光板（右偏光板及び左円偏光板の他方の円偏光板）と交換することにより、透過する光の偏光状態を変化させることができる。
円偏光板としては特に制限されず、公知の円偏光板を用いることができる。公知の円偏光板としては、直線偏光板に位相差板（例えば、λ／４波長板）を貼合した積層体を用いた円偏光板、及び、コレステリック液晶を用いた円偏光板等が挙げられる。
【００１８】
なお、光の偏光状態は、円偏光板を装着した分光放射輝度計又はスペクトルメータを用いて測定できる。また、照度計又は光スペクトルメータに、円偏光板を取り付けても測定できる。右円偏光板をつけ、右円偏光量を測定、左円偏光板をつけ、左円偏光量を測定することにより、偏光状態を測定できる。
【００１９】
被照射体１０４は、部材１０６と、部材１０６上に配置された第一円偏光反射層１０５とを備え、第一円偏光反射層１０５は、光源ユニット１０１側を向いている。光源ユニット１０１から出射した光Ｌは、被照射体１０４の第一円偏光反射層１０５側に照射され、観察者Ａは、第一円偏光反射層１０５からの反射光を観察する。そのため、部材１０６が無色透明である場合、観察者Ａは、主に、第一円偏光反射層１０５からの反射光を被照射体１０４の色として知覚する。
なお、被照射体４０１としては、これに制限されず、部材１０６と第一円偏光反射層１０５との間に別の層を備えていてもよい。別の層としては、例えば、接着層等が挙げられる。
【００２０】
第一円偏光反射層１０５は右円偏光、及び、左円偏光のいずれか一方を反射する。上記実施形態に係る鑑賞システム１００においては、光源ユニット１０１は、第一円偏光反射層１０５により反射される右円偏光及び左円偏光のいずれか一方と又は自然光と、第一円偏光反射層１０５により反射される円偏光の旋回方向とは逆向きの円偏光とを切り替え可能に出射できる。
【００２１】
（ケース１）
従い、光源ユニット１０１から、第一円偏光反射層１０５により反射される旋回方向とは逆向きの円偏光が出射された場合（例えば、第一円偏光反射層１０５が、右円偏光を反射する場合に、光源ユニット１０１から、左円偏光が出射された場合）、光源ユニット１０１から出射された光Ｌは、第一円偏光反射層１０５により反射されない（透過する）ため、観察者Ａは、第一円偏光反射層１０５からの反射光を観察できない。言い換えれば、観察者Ａには、第一円偏光反射層１０５の色は知覚されない。
【００２２】
（ケース２）
一方で、光源ユニット１０１から、第一円偏光反射層１０５により反射される右円偏光及び左円偏光のいずれか一方又は自然光が出射される場合（例えば、第一円偏光反射層１０５が、右円偏光を反射する場合に、光源ユニット１０１から、右円偏光、又は、自然光が出射された場合）、光源ユニット１０１から出射された光Ｌの全部又は一部は、第一円偏光反射層１０５により反射され、観察者Ａは、第一円偏光反射層１０５からの反射光を観察できる。言い換えれば、観察者Ａには、上記反射光に応じた色が知覚される。
【００２３】
上記ケース１の場合、観察者Ａには、第一円偏光反射層１０５の色は知覚されないため、観察者Ａに知覚される被照射体１０４の色は、部材１０６の色に応じたものとなる。例えば、部材１０６が無色透明である場合、観察者Ａには被照射体１０４が無色透明に知覚される。
上記ケース２の場合、観察者Ａには、第一円偏光反射層１０５の色が知覚されるため、観察者Ａに知覚される被照射体１０４の色は、第一円偏光反射層１０５による反射光、及び、部材１０６の色に応じたものとなる。例えば、部材１０６が無色透明である場合、観察者Ａには被照射体１０４が、第一円偏光反射層１０５の色に知覚される。
【００２４】
上記鑑賞システムは、光源ユニットから出射される光を切り替えることにより、ケース１、及び、ケース２に記載したとおり、被照射体の色を変化させることができる。なお、被照射体の色を変化させるために、光源ユニットから出射される光を切り替えても（右偏光、左偏光、及び、自然光を切り替えても）、被照射体以外（例えば、壁、及び、天井等の背景、並びに、後述する実施例中に記載した台等）の色は変化しない。被照射体以外の色を変化させずに、被照射体の色を変化させることができる点は、上記鑑賞システムの特徴点の一つである。
【００２５】
第一円偏光反射層１０５としては、右円偏光を選択反射する右円偏光反射層、及び、左円偏光を選択反射する左円偏光反射層のいずれか一方であれはよい。第一円偏光反射層１０５は単層で構成されていてもよく、複数層から構成されていてもよい。
第一円偏光反射層１０５は、後述するコレステリック液晶相を固定してなる層を含有していることが好ましい。コレステリック液晶相は、右円偏光又は左円偏光のいずれか一方を選択的に反射する円偏光選択反射性を有することが知られている。コレステリック液晶相を固定してなる層は、後述する重合性液晶化合物を含有する組成物により得られた層を硬化させて得ることができる。
【００２６】
部材１０６としては、図１中においては、発明を理解しやすいように平板状に記載してあるが、この形状には特に制限されず、３次元形状を有する物品であってもよい。つまり、部材の形状、大きさ、及び、厚み等は特に制限されず、所望の視覚効果に応じて適宜選択して用いることができる。
【００２７】
また、部材の色も特に制限されず、無色であっても、有色であってもよい。更に、部材は透明であっても、不透明であってもよい。
なお、部材が有色不透明である場合、部材の色によって、観察者により観察される被照射体の色味を調整できる。
例えば、不透明で黒色の部材と、部材上に配置された右円偏光反射層とを備える被照射体に対して、光源ユニットから右円偏光が照射されるケースを想定する。
上記のケースでは、右円偏光反射層が選択反射する波長の中心波長に応じた色が、被照射体の色として、観察者に知覚される。その理由としては、被照射体が不透明で黒色の部材を備えるため、右円偏光反射層で反射されなかった光は、部材に吸収されるためである。
一方、不透明で白色の部材と、部材上に配置された右円偏光反射層とを備える被照射体に対して、光源ユニットから右円偏光が照射されるケースを想定する。
上記のケースでは、右円偏光反射層が選択反射する光と、円偏光反射層で反射されず、部材で反射、及び／又は、散乱された光とを合わせた光に対応する色が、被照射体の色として、観察者に知覚される。
上記のとおり、部材の色（光の反射特性の違い）によって、観察者により観察される被照射体の色味を調整できる。
【００２８】
部材としては、例えば、衣類、履物、食器、文房具、紙、フィルム、建具、小間物、寝具、マット、壁紙、おもちゃ、及び、運動用具等が挙げられるが、これに制限されない。
【００２９】
部材１０６を構成する材料としては、特に制限されず、ガラス及び／又は金属等の無機材料、並びに、プラスチック等の有機材料のいずれであってもよい。なかでも、より優れた照明効果が得られる点で、部材１０６を構成する材料としては、ガラス、又は、プラスチックが好ましく、なかでも、ガラス、アクリル樹脂、メタクリル樹脂、エポキシ樹脂、ポリスチレン樹脂、ポリエステル樹脂（例えばポリエチレンテレフタレート）、フェノール樹脂、又は、塩化ビニル樹脂がより好ましい。
【００３０】
〔第一の実施形態の変形例〕
図３は上記実施形態に係る鑑賞システムの変形例を表す概略図である。鑑賞システム３００は、光源ユニット３０１と、被照射体３０２とを備え、被照射体３０２は、台３０３上に載置されている。
被照射体３０２は、図示しない部材上に第一円偏光反射層を備えており、上記部材は、可視光領域で透明である。なお、本明細書において、可視光領域で透明とは、可視光波長（４００〜８００ｎｍ）において光の平均透過率が５０％以上となる領域を含むことをいい、可視光領域全域における光の平均透過率が５０％以上となることが好ましい。
既に説明したとおり、光源ユニット３０１は、被照射体３０２が備える第一円偏光反射層により反射される右円偏光及び左円偏光のいずれか一方又は自然光と、第一円偏光反射層により反射される円偏光の旋回方向とは逆向きの円偏光と、を切り替え可能に出射できる。
【００３１】
（ケース１）
光源ユニット３０１から、第一円偏光反射層により反射される旋回方向とは逆向きの円偏光が出射された場合（例えば、第一円偏光反射層が、右円偏光を反射する場合に、光源ユニット３０１から、左円偏光が出射された場合）、光源ユニット１０１から出射された光Ｌは、第一円偏光反射層、及び、部材を透過する。従い、観察者Ａには、被照射体３０２は透明に見える。特に、被照射体３０２の部材が可視光領域で無色透明である場合、観察者Ａには、被照射体３０２は無色透明に見える。
また、被照射体３０２が台３０３上に作る影Ｓを観察する観察者Ｂには、光源ユニット３０１から出射した光が被照射体３０２を透過し、そのまま影Ｓとして観察される。例えば、光源ユニット３０１から、白色光が出射され、かつ、被照射体３０２の部材が可視光領域で無色透明である場合、観察者Ｂには白色の影Ｓが知覚される。
【００３２】
（ケース２）
光源ユニット３０１から、第一円偏光反射層により反射される右円偏光及び左円偏光のいずれか一方又は自然光が出射した場合（例えば、第一円偏光反射層が、右円偏光を反射する場合に、光源ユニット３０１から、右円偏光、又は、自然光が出射された場合）、光源ユニット１０１から出射された光Ｌの全部又は一部は、第一円偏光反射層により反射される。
このとき、被照射体３０２の部材は可視光領域で透明であり、かつ無色である場合、観察者Ａには、第一円偏光反射層からの反射光が、被照射体３０２の色として知覚される。
一方、影Ｓを観察する観察者Ｂには、影Ｓは、被照射体３０２の色の補色（照射光から、第一円偏光反射層における反射光を除いた光の色）として観察される。これは、第一円偏光反射層が選択反射する波長以外の波長の光が被照射体３０２を透過して、台３０３により反射されて、影Ｓを作るためであると考えられる。
【００３３】
上記のように、本実施形態に係る鑑賞システムは、より簡便な構成で、変化する視覚効果を提供できる。また、部材が可視光領域で透明（特に、無色透明）である場合には、被照射体の色に加えて、被照射体の影の色を変化させることができ、より優れた視覚効果を提供できる。
【００３４】
［鑑賞システムの第二の実施形態］
図４は、本発明の一実施形態に係る鑑賞システムの概略図である。
図４に示すように、本実施形態に係る鑑賞システム４００は、光源ユニット１０１と、光源ユニット１０１より出射された光Ｌが照射される被照射体４０１とを備える。
光源ユニット１０１は、光源１０２と、偏光変換部１０３とを備え、それぞれの形態は、鑑賞システムの第一の実施形態において説明したとおりである。
【００３５】
被照射体４０１は、部材１０６と、部材１０６上に配置された第一円偏光反射層１０５とを備え、更に、第一円偏光反射層１０５上に、第二円偏光反射層４０２を備える。
第二円偏光反射層４０２は、第一円偏光反射層１０５により反射される円偏光の旋回方向とは逆向きの円偏光であって、第一円偏光反射層１０５により反射される円偏光の選択反射波長とは異なる選択反射波長の円偏光を反射する。
なお、本明細書において、円偏光の選択反射波長が異なる、とは、選択反射する波長の中心波長（ピーク波長）が異なることを意図する。なお、選択反射する波長の中心波長とは、円偏光反射層の法線方向（らせん軸方向）から測定した時に得られる中心波長を意味する。中心波長の測定方法は、後段で詳述する。
なお、図４においては、被照射体４０１は、部材１０６上に第一円偏光反射層１０５、及び、第二円偏光反射層４０２をこの順に備える形態となっている。しかし、被照射体４０１としては、これに制限されず、部材１０６上に第二円偏光反射層４０２、及び、第一円偏光反射層１０５をこの順に備える形態であってもよい。
【００３６】
また、図２においては、部材１０６、第一円偏光反射層１０５及び第二円偏光反射層４０２は互いに接している。しかし、被照射体４０１としては、これに制限されず、各層間（例えば、部材１０６と第一円偏光反射層１０５との間、及び、第一円偏光反射層１０５と第二円偏光反射層４０２の間等）に別の層を備えていてもよい。
各層間に別の層を備える形態としては、例えば、第一円偏光反射層１０５上に、粘着層、及び／又は、接着層（以下、「粘接着層」という。）を備え、粘接着層上に第二円偏光反射層４０２を備える形態が挙げられる。
【００３７】
既に説明したとおり、光源ユニット１０１は、被照射体４０１が備える第一円偏光反射層１０５により反射される右円偏光及び左円偏光のいずれか一方又は自然光と、第一円偏光反射層により反射される円偏光の旋回方向とは逆向きの円偏光と、を切り替え可能に出射できる。
【００３８】
（ケース１）
光源ユニット１０１から、第一円偏光反射層１０５により反射される旋回方向とは逆向きの円偏光が出射された場合（例えば、第一円偏光反射層が、右円偏光を反射する場合に、光源ユニット１０１から、左円偏光が出射された場合）、光源ユニット１０１から出射された光Ｌの全部又は一部は、第二円偏光反射層４０２によって反射され、観察者Ａは第二円偏光反射層４０２からの反射光を観察できる。言い換えれば、観察者Ａには第二円偏光反射層４０２からの反射光に応じた色が知覚される。
【００３９】
（ケース２）
一方で、光源ユニット１０１から、第一円偏光反射層１０５により反射される右円偏光及び左円偏光のいずれか一方が出射される場合（例えば、第一円偏光反射層１０５が、右円偏光を反射する場合に、光源ユニット１０１から、右円偏光が出射された場合）、光源ユニット１０１から出射された光Ｌは、第二円偏光反射層４０２を透過し、第一円偏光反射層１０５により反射される。
従って、観察者Ａは、第二円偏光反射層４０２からの反射光は観察できず、第一円偏光反射層１０５からの反射光を観察できる。言い換えれば、観察者Ａには、第一円偏光反射層１０５からの反射光に応じた色が知覚される。
【００４０】
（ケース３）
また、光源ユニット１０１から、自然光が出射される場合、光源ユニット１０１から出射された光Ｌの一部は、第二円偏光反射層４０２、及び、第一円偏光反射層１０５の両方で反射される。この場合、観察者Ａは、第一円偏光反射層１０５、及び、第二円偏光反射層４０２からの反射光を合わせた光に応じた色が知覚される。
【００４１】
上記実施形態に係る鑑賞システムにおいては、第二円偏光反射層により反射される円偏光の選択反射波長と、第一円偏光反射層により反射される円偏光の選択反射波長とが異なるため、上記ケース１及びケース２において、それぞれ観察者Ａに知覚される被照射体４０１の色が異なる。また、上記ケース３の場合も同様にそれぞれケース１及びケース２とは異なる色が被照射体４０１の色として知覚される。
上記のように、本実施形態に係る鑑賞システムは、より簡便な構成で、被照射体の色が多色に変化するというより優れた視覚効果を提供できる。
【００４２】
なお、部材１０６が可視光領域で透明（特に、無色透明）である場合には、第一の実施形態の変形例で説明した場合と同様に、光源ユニット１０１から照射する光の偏光状態を切り替えることにより、被照射体４０１の色に加えて、被照射体４０１の影の色を変化させることができ、より優れた視覚効果を提供できる。
【００４３】
〔コレステリック液晶相を固定してなる層〕
本発明の鑑賞システムの第一の実施形態、及び、第二の実施形態において用いられる円偏光反射層は、コレステリック液晶相を固定してなる層（以下本明細書において、「コレステリック液晶層」ともいう。）を含有することが好ましい。円偏光反射層は、コレステリック液晶層を１層以上含有することが好ましく、複数層含有してもよい。
【００４４】
コレステリック液晶層とは、コレステリック液晶相となっている液晶化合物の配向が保持されている層であれば特に制限されず、公知の層を用いることができる。
コレステリック液晶層としては、例えば、後述する重合性液晶化合物をコレステリック液晶相の配向状態としたうえで、光（例えば紫外線等）の照射、又は、加熱によって重合させた層が挙げられる。
なお、コレステリック液晶層においては、コレステリック液晶相の光学的性質が層中において保持されていればよく、層中の液晶化合物はもはや液晶性を示していなくてもよい。例えば、重合性液晶化合物は、硬化反応により高分子量化して、もはや液晶性を失っていてもよい。
【００４５】
コレステリック液晶層は、コレステリック液晶のらせん構造に由来した円偏光選択反射を示す。円偏光選択反射の中心波長λは、コレステリック液晶相におけるらせん構造のピッチＰ（＝らせんの周期）に依存し、コレステリック液晶層の平均屈折率ｎとλ＝ｎ×Ｐの関係に従う。そのため、このらせん構造のピッチを調節することによって、円偏光選択反射を示す波長を調整できる。
コレステリック液晶相のピッチは、例えば、後述する重合性液晶組成物中におけるキラル剤の種類、及び／又は、含有量に依存するため、これらを調整することによって所望のピッチを得ることができる。円偏光反射層がコレステリック液晶層を２層以上備えるとき、２層以上のコレステリック液晶層の円偏光選択反射の中心波長λは同一でも異なっていてもよい。
【００４６】
また、コレステリック液晶層の選択反射する円偏光のセンスはらせんのセンスに一致する。すなわち、らせんのセンスが右であるコレステリック液晶層は右円偏光を選択反射し、らせんのセンスが左であるコレステリック液晶層は左円偏光を選択反射する。
なお、本明細書において、第一円偏光反射層がコレステリック液晶層を２層以上備えるときは、これらのコレステリック液晶層のセンスは同一である。また、第二円偏光反射層がコレステリック液晶層を２層以上備えるときは、これらのコレステリック液晶層のセンスは同一である。
なお、らせんのセンス及びピッチの測定方法については「液晶化学実験入門」日本液晶学会編  シグマ出版２００７年出版、４６頁、及び「液晶便覧」液晶便覧編集委員会  丸善  １９６頁に記載の方法を用いることができる。
【００４７】
また、円偏光を選択反射する場合の選択反射帯（円偏光反射層）の半値幅Δλ（ｎｍ）は、Δλが液晶化合物の複屈折Δｎと上記ピッチＰに依存し、Δλ＝Δｎ×Ｐの関係に従う。そのため、Δｎを調整することにより、選択反射帯の幅を制御できる。Δｎの調整は後述する重合性液晶化合物の種類、及び／又は、配向固定時の温度等により制御できる。
【００４８】
なお、コレステリック液晶層の選択反射の中心波長と半値幅は下記の方法により求めることができる。
分光光度計ＵＶ３１５０（島津製作所）を用いてコレステリック液晶層の透過スペクトルを測定すると、選択反射領域に透過率の低下ピークがみられる。この最も大きいピーク高さの１／２の高さの透過率となる２つの波長のうち、短波側の波長の値をλ１（ｎｍ）、長波側の波長の値をλ２（ｎｍ）とすると、選択反射の中心波長と半値幅は下記式で表すことができる。
中心波長＝（λ１＋λ２）／２
半値幅＝（λ２−λ１）
【００４９】
選択反射帯の半値幅は、通常１種の材料では５０〜１５０ｎｍ程度である。選択波長帯を広げるためには、周期Ｐを変えた反射光の中心波長が異なるコレステリック液晶層を２種以上積層すればよい。又は、１つのコレステリック液晶層内において、周期Ｐを膜厚方向に対して緩やかに変化させることで制御波長域を広げることもできる。
【００５０】
また、円偏光反射層はコレステリック液晶層を少なくとも１層含有していてれば、特に制限されず、他の層を含有していてもよい、すなわち、円偏光反射層は、コレステリック液晶層と他の層とを積層した積層体であってもよい。
【００５１】
コレステリック液晶層は液晶化合物を含有する液晶組成物を用いて作製できる。なかでも、より簡便にコレステリック液晶層を得られる点で、コレステリック液晶層は、重合性基を含有する液晶化合物（重合性液晶化合物）を含有する重合性液晶組成物を用いて作製されることが好ましい。
【００５２】
＜重合性液晶組成物＞
重合性液晶組成物としては、重合性液晶化合物を含有していれば特に制限されず、公知の重合性液晶組成物を用いることができる。
重合性液晶組成物は、重合性液晶化合物以外の成分として、例えば、溶剤、キラル剤、重合開始剤、配向制御剤、及び、界面活性剤等を含有してもよい。以下では、重合性液晶組成物が含有する各成分について説明する。
【００５３】
（重合性液晶化合物）
重合性液晶化合物としては重合性基を含有する液晶化合物であれば特に制限されず、公知の重合性液晶化合物を用いることができる。
重合性液晶組成物中における重合性液晶化合物の含有量としては特に制限されないが、一般に、重合性液晶組成物の全固形分に対して、７０〜９５質量％が好ましい。
重合性液晶化合物は、１種を単独で用いても、２種以上を併用してもよい。２種以上の重合性液晶化合物を併用する場合には、合計含有量が上記範囲内であることが好ましい。
【００５４】
重合性液晶化合物が含有する重合性基としては特に制限されず、公知の重合性基を用いることができる。
公知の重合性基としては、例えば、特開２００２−１２９１６２号公報の０１６１〜０１７１段落に記載の重合性基を用いることができ、上記内容は本明細書に組み込まれる。
なお、重合性基としては、エチレン性不飽和二重結合基が好ましく、アクリロイル基、及び、メタクリロイル基からなる群から選択される少なくとも１種がより好ましい。
【００５５】
重合性液晶化合物としては、例えば、以下の一般式（１）又は、一般式（３）で表される化合物が挙げられる。
【００５６】
【化１】
0006714715.tif 000002
【００５７】
一般式（１）中、Ａ１は、炭素原子数２〜１８のメチレン基を表し、該メチレン基中の１つのＣＨ２又は隣接していない２つ以上のＣＨ２は、−Ｏ−で置換されていてもよい；
Ｚ１は、−ＣＯ−、−Ｏ−ＣＯ−又は単結合を表し；
Ｚ２は、−ＣＯ−又はＣＯ−ＣＨ＝ＣＨ−を表し；
Ｒ１は、水素原子又はメチル基を表し；
Ｒ２は、水素原子、ハロゲン原子、炭素原子数１〜４の直鎖アルキル基、メトキシ基、エトキシ基、置換基を有していても良い芳香環、シクロヘキシル基、ビニル基、ホルミル基、ニトロ基、シアノ基、アセチル基、アセトキシ基、Ｎ−アセチルアミド基、アクリロイルアミノ基、Ｎ，Ｎ−ジメチルアミノ基、マレイミド基、メタクリロイルアミノ基、アリルオキシ基、アリルオキシカルバモイル基、アルキル基の炭素原子数が１〜４であるＮ−アルキルオキシカルバモイル基、Ｎ−（２−メタクリロイルオキシエチル）カルバモイルオキシ基、Ｎ−（２−アクリロイルオキシエチル）カルバモイルオキシ基、又は下記式（１−２）で表される構造を表し；
Ｌ１、Ｌ２、Ｌ３及びＬ４は各々独立して、炭素原子数１〜４のアルキル基、炭素原子数１〜４のアルコキシ基、炭素原子数２〜５のアルコキシカルボニル基、炭素原子数２〜４のアシル基、ハロゲン原子又は水素原子を表し、Ｌ１、Ｌ２、Ｌ３及びＬ４のうち少なくとも１つは水素原子以外の基を表す。
【００５８】
−Ｚ５−Ｔ−Ｓｐ−Ｐ  式（１−２）
式（１−２）中、Ｐはアクリル基、メタクリル基、又は、水素原子を表し；Ｚ５は単結合、−ＣＯＯ−、−ＣＯＮＲ１−（Ｒ１は水素原子又はメチル基を表す）又は、−ＣＯＳ−を表し；Ｔは１，４−フェニレンを表し；Ｓｐは置換基を有していてもよい炭素原子数１〜１２の２価の脂肪族基を表し、上記脂肪族基中の１つのＣＨ２又は隣接していない２以上のＣＨ２は、−Ｏ−、−Ｓ−、−ＯＣＯ−、−ＣＯＯ−又は−ＯＣＯＯ−で置換されていてもよい。
【００５９】
【化２】
0006714715.tif 000003
【００６０】
一般式（３）中、Ａ２、及び、Ａ３はそれぞれ独立して、炭素原子数２〜１８のメチレン基を表し、上記メチレン基中の１つのＣＨ２、又は、隣接していない２つ以上のＣＨ２は、−Ｏ−で置換されていてもよい；Ｚ５は、−ＣＯ−、−ＯＣＯ−、又は、単結合を表し；Ｚ６は、−ＣＯ−、−ＣＯＯ−、又は、単結合を表し；Ｒ５、及び、Ｒ６はそれぞれ独立して、水素原子又はメチル基を表し；Ｌ９、Ｌ１０、Ｌ１１、及び、Ｌ１２はそれぞれ独立して、炭素原子数１〜４のアルキル基、炭素原子数１〜４のアルコキシ基、炭素原子数２〜５のアルコキシカルボニル基、炭素原子数２〜４のアシル基、ハロゲン原子、又は、水素原子を表し、Ｌ９、Ｌ１０、Ｌ１１及びＬ１２のうち少なくとも１つは水素原子以外の基を表す。
【００６１】
重合性液晶化合物としては上記以外にも、例えば、特開２０１４−１９８８１４号公報の００１５〜００３６段落に記載の液晶化合物を用いることができ、上記内容は本明細書に組み込まれる。
【００６２】
上記重合性液晶化合物としては、重合性液晶組成物がより優れた硬化性、特に、より短時間で硬化する（以下、「即硬化性」ともいう。）点、及び、重合性液晶化合物の結晶化が抑制される点で、アクリロイル基、及び、メタクリロイル基からなる群から選択される少なくとも１種の重合性基を、１分子中に１個以上含有する液晶化合物１と、上記重合性基を、１分子中に２個以上含有する液晶化合物２と、を含有することが好ましい。
なかでも、得られるコレステリック液晶層がより優れた即硬化性、より優れた耐久性、及び、より優れた強度を有する点で、液晶化合物１は、アクリロイル基、及び、メタクリロイル基からなる群から選択される少なくとも１種の重合性基を、１分子中に２個以上含有することが好ましい。
なお、本明細書において、液晶化合物１と液晶化合物２とは、互いに異なる化合物を意図する。
重合性液晶組成物が互いに異なる重合性液晶化合物（液晶化合物１、及び、液晶化合物２）を含有する場合、重合性液晶組成物中において、重合性液晶化合物が結晶化しにくい。上記重合性液晶組成物は、より優れた経時安定性を有する。また、上記重合性液晶組成物を用いて形成された重合性液晶組成物層は、形成後（例えば噴霧による形成後）から紫外線照射までの間の経時安定性により優れ、得られるコレステリック液晶層は、より優れた面状を有する。
【００６３】
重合性液晶組成物中における液晶化合物１の含有量としては特に制限されないが、一般に、重合性液晶組成物の全固形分に対して、５〜９０質量％が好ましい。
重合性液晶組成物中における液晶化合物２の含有量としては特に制限されないが、一般に、重合性液晶組成物の全固形分に対して、５〜９０質量％が好ましい。
【００６４】
（溶剤）
重合性液晶組成物は、溶剤を含有することが好ましい。
溶剤としては、重合性液晶組成物の各成分を溶解、又は、分散させることができれば特に制限されず、公知の溶剤を用いることができる。溶剤としては水、及び／又は、有機溶剤が挙げられ、有機溶剤を含有することが好ましい。
重合性液晶組成物中における溶剤の含有量としては特に制限されないが、重合性液晶組成物の固形分が、１〜５０質量％に調整されることが好ましく、１〜２０質量％に調整されることがより好ましい、なかでも、部材上に重合性液晶組成物を噴霧してコレステリック液晶層を形成する場合には、１〜１０質量％に調整されることが更に好ましい。
溶剤は１種を単独で用いても、２種以上を併用してもよい。２種以上の溶剤を併用する場合には、合計含有量が上記範囲内であることが好ましい。
【００６５】
有機溶剤としては、例えば、ブチルエーテル、ジメトキシエタン、ジエトキシエタン、プロピレンオキシド、１，４−ジオキサン、１，３−ジオキソラン、１，３，５−トリオキサン、テトラヒドロフラン、アニソール、フェネトール、炭酸ジメチル、炭酸メチルエチル、炭酸ジエチル、アセトン、メチルエチルケトン（ＭＥＫ）、ジエチルケトン、ジプロピルケトン、ジイソブチルケトン、シクロペンタノン、シクロヘキサノン、メチルシクロヘキサノン、蟻酸エチル、蟻酸プロピル、蟻酸ペンチル、酢酸メチル、酢酸エチル、酢酸プロピル、プロピオン酸メチル、プロピオン酸エチル、γ−プチロラクトン、２−メトキシ酢酸メチル、２−エトキシ酢酸メチル、２−エトキシ酢酸エチル、２−エトキシプロピオン酸エチル、２−メトキシエタノール、２−プロポキシエタノール、２−ブトキシエタノール、１，２−ジアセトキシアセトン、アセチルアセトン、ジアセトンアルコール、アセト酢酸メチル、アセト酢酸エチル、メチルアルコール、エチルアルコール、イソプロピルアルコール、ｎ−ブチルアルコール、シクロヘキシルアルコール、酢酸イソブチル、メチルイソブチルケトン（ＭＩＢＫ）、２−オクタノン、２−ペンタノン、２−ヘキサノン、エチレングリコールエチルエーテル、エチレングリコールイソプロピルエーテル、エチレングリコールブチルエーテル、プロピレングリコールメチルエーテル、エチルカルビトール、ブチルカルビトール、ヘキサン、ヘプタン、オクタン、シクロヘキサン、メチルシクロヘキサン、エチルシクロヘキサン、ベンゼン、トルエン、及びキシレン等が挙げられる。
【００６６】
溶剤の沸点としては特に制限されないが、部材に重合性液晶組成物を噴霧してコレステリック液晶層を形成する場合、より平滑なコレステリック液晶層を得られ、かつ、十分な作業時間を確保できる点で、溶剤の沸点としては３５〜１８０℃が好ましく、５５〜１５０℃がより好ましい。
なお、２種以上の溶剤を併用する場合は、併用する溶剤を混合した混合物の沸点を意図する。また、上記沸点とは、１気圧下における沸点を意図する。
【００６７】
溶剤の溶解パラメータとしては特に制限されないが、重合性液晶化合物をより溶解しやく、得られるコレステリック液晶層がより平滑である点で、７．５〜１２が好ましく、８〜９がより好ましい。なお、溶解パラメータの単位は、（ｃａｌ／ｃｍ３）１／２である。
【００６８】
・重合性液晶組成物の好ましい形態
重合性液晶組成物が、アクリロイル基、及び、メタクリロイル基からなる群から選択される少なくとも１種の重合性基を、１分子中に１個以上含有する液晶化合物１と、重合性基を、１分子中に２個以上含有する液晶化合物２と、を含有し、溶剤の溶解パラメータが８〜９であり、かつ、沸点が５５〜１５０℃であると、重合性液晶組成物を噴霧インキとして用いた場合により平滑で、より欠陥の少ないコレステリック液晶層を得ることができる。なお、噴霧インキとは、部材に噴霧して、部材上にコレステリック液晶層を形成するために用いる組成物を意図する。
【００６９】
（キラル剤（光学活性化合物））
重合性液晶組成物はキラル剤を含有してもよい。キラル剤はコレステリック液晶相のらせん構造を誘起し、コレステリック液晶相が得られやすい。キラル剤としては特に制限されず、公知のキラル剤を用いることができる。
重合性液晶組成物中におけるキラル剤の含有量としては特に制限されないが、一般に、重合性液晶化合物の全質量に対して、１〜１５質量％が好ましい。
キラル剤は１種を単独で用いても、２種以上を併用してもよい。２種以上のキラル剤を併用する場合には、合計含有量が上記範囲内であることが好ましい。
【００７０】
公知のキラル剤としては、例えば、液晶デバイスハンドブック、第３章４−３項、ＴＮ（Twisted Nematic）、ＳＴＮ（Super-twisted nematic display）用カイラル剤、１９９頁、日本学術振興会第１４２委員会編、１９８９に記載された化合物、イソソルビド、及び、イソマンニド誘導体等を用いることができる。
【００７１】
キラル剤は、一般に不斉炭素原子を含有するが、不斉炭素原子を含有しない軸性不斉化合物又は面性不斉化合物もキラル剤として用いることができる。軸性不斉化合物、及び、面性不斉化合物の例には、ビナフチル、ヘリセン、パラシクロファン、及び、これらの誘導体等が挙げられる。
キラル剤は、重合性基を有していてもよい。キラル剤が重合性基を有する場合は、重合性キラル剤と重合性液晶化合物との重合反応により、重合性液晶化合物から誘導される繰り返し単位と、キラル剤から誘導される繰り返し単位とを有するポリマーを形成できる。この態様では、重合性キラル剤が有する重合性基は、重合性液晶化合物が有する重合性基と、同種の基であることが好ましい。従って、キラル剤の重合性基も、エチレン性不飽和基、エポキシ基、又は、アジリジニル基が好ましく、エチレン性不飽和基がより好ましい。また、キラル剤は、液晶化合物であってもよい。
【００７２】
キラル剤が光異性化基を有すると、重合性液晶組成物を塗布し、配向させた後に、活性光線等を塗膜にフォトマスクを介して照射することで、発光波長に対応した所望の反射波長のパターンを形成できるので好ましい。光異性化基としては、フォトクロッミック性を示す化合物の異性化部位、アゾ基、アゾキシ基、又は、シンナモイル基が好ましい。具体的な化合物として、特開２００２−８０４７８号公報、特開２００２−８０８５１号公報、特開２００２−１７９６６８号公報、特開２００２−１７９６６９号公報、特開２００２−１７９６７０号公報、特開２００２−１７９６８１号公報、特開２００２−１７９６８２号公報、特開２００２−３３８５７５号公報、特開２００２−３３８６６８号公報、特開２００３−３１３１８９号公報、特開２００３−３１３２９２号公報に記載の化合物を用いることができる。また、市販品としては、パリオカラーＬＣ−７５６（ＢＡＳＦ社製）等が挙げられる。
【００７３】
（重合開始剤）
重合性液晶組成物は重合開始剤を含有することが好ましい。
重合性液晶組成物中における重合開始剤の含有量としては、特に制限されないが、十分な硬化性を付与する点で、重合性液晶組成物の全固形分に対して、０．５〜１０質量％が好ましく、１〜５質量％がより好ましい。
なお、重合開始剤は１種を単独で用いても、２種以上を併用してもよい。２種以上の重合開始剤を併用する場合には、合計含有量が上記範囲内であることが好ましい。
【００７４】
重合開始剤としては、特に制限されず公知の重合開始剤の中から適宜選択できる。例えば、感光性を有するもの（いわゆる、光重合開始剤）が好ましい。光重合開始剤以外に、熱重合開始剤を用いることができ、これらを併用することもできる。
光重合開始剤としては、重合性化合物の重合を開始する能力を有する限り、特に制限されず、公知の光重合開始剤を用いることができる。
光重合開始剤としては、例えば、紫外光領域から可視光領域に対して感光性を有するものが好ましい。また、光励起された増感剤と何らかの作用を生じ、活性ラジカルを生成する活性剤であってもよく、重合性化合物の種類に応じてカチオン重合を開始させるような開始剤であってもよい。
【００７５】
光重合開始剤としては、例えば、アセトフェノン類、ベンゾフェノン類、ミヒラーベンゾイルベンゾエート類、α−アミロキシムエステル類、ホスフィンオキシド類、ケタール類、アントラキノン類、チオキサントン類、プロピオフェノン類、アゾ化合物、過酸化物類、２，３−ジアルキルジオン化合物類、ジスルフィド化合物類、フルオロアミン化合物類、ベンジル類、ベンゾイン類、芳香族ジアゾニウム塩、芳香族スルホニウム塩、芳香族ヨードニウム塩、メタロセン化合物、ベンゾインスルホン酸エステル、ロフィンダイマー類、オニウム塩類、ボレート塩類、活性エステル類、活性ハロゲン類、無機錯体、クマリン類、及び、アシルホスフィンオキシド類等が挙げられる。
【００７６】
光重合開始剤の具体例、及び好ましい態様、市販品などは、特開２００９−０９８６５８号公報の０１３３〜０１５１段落に記載されており、上記の内容は本明細書に組み込まれる。光重合開始剤の市販品としては、例えば、ＩＲＧＡＣＵＲＥ８１９（ビス（２，４，６−トリメチルベンゾイル）−フェニルフォスフィンオキサイド、ＢＡＳＦ社製）等が挙げられる。
【００７７】
（増感剤）
重合性液晶組成物は増感剤を含有することが好ましい。増感剤としては特に制限されず、公知の増感剤を用いることができる。
重合性液晶組成物中における増感剤の含有量としては特に制限されず、一般に重合開始剤１００質量部に対して、０．１〜２０質量％が好ましい。
増感剤は１種を単独で用いても、２種以上を併用してもよい。２種以上の増感剤を併用する場合には、合計含有量が上記範囲内であることが好ましい。
【００７８】
増感剤としては、例えば、ｎ−ブチルアミン、トリエチルアミン、トリ−ｎ−ブチルホスフィン、及び、チオキサントンが挙げられる。市販の増感剤としては、日本化薬社製の商品名「ＫＡＹＡＣＵＲＥ」シリーズ等が挙げられる。
【００７９】
（配向制御剤）
重合性液晶組成物は、配向制御剤を含有してもよい。配向制御剤としては特に制限されず、公知の配向制御剤を用いることができる。
重合性液晶組成物中における配向制御剤の含有量としては特に制限されないが、一般に、重合性液晶組成物の全固形分に対して、０．０５〜１０質量％が好ましい。配向制御剤は、１種を単独で用いても、２種以上を併用してもよい。２種以上の配向制御剤を併用する場合には、合計含有量が上記範囲内であることが好ましい。
【００８０】
配向制御剤としては、例えば、低分子の配向制御剤又は高分子の配向制御剤を用いることができる。低分子の配向制御剤としては、例えば、特開２００２−２０３６３号公報の０００９〜００８３段落、特開２００６−１０６６６２号公報の０１１１〜０１２０段落、及び、特開２０１２−２１１３０６号公報の００２１−００２９段落の記載を参酌でき、この内容は本明細書に組み込まれる。また、高分子の配向制御剤としては、例えば、特開２００４−１９８５１１号公報の００２１〜００５７段落の記載、及び、特開２００６−１０６６６２号公報の０１２１〜０１６７段落を参酌でき、この内容は本明細書に組み込まれる。
配向制御剤を用いることにより、例えば、より容易に、液晶化合物を層の表面と並行に配向したホモジニアス配向状態とすることができる。
【００８１】
（界面活性剤）
重合性液晶組成物は、界面活性剤を含有することが好ましい。界面活性剤としては特に制限されず、公知の界面活性剤を用いることができる。
重合性液晶組成物中における界面活性剤の含有量としては特に制限されないが、一般に、重合性液晶組成物の全固形分に対して、０．０５〜１０質量％が好ましく、なかでも部材上に重合性液晶組成物を噴霧してコレステリック液晶層を形成する場合には、２〜１０質量％がより好ましい。重合性液晶組成物が含有する界面活性剤の含有量が２〜１０質量％であると、重合性液晶組成物を噴霧して形成したコレステリック液晶層がより優れた面状を有する。なお、本明細書において、面状とは、面内の均一性（重合性液晶組成物のハジキが発生しないこと、及び、面内の色ムラが発生しないこと）を意図する。
界面活性剤は、１種を単独で用いても、２種以上を併用してもよい。２種以上の界面活性剤を併用する場合には、合計含有量が上記範囲内であることが好ましい。
【００８２】
界面活性剤としては、例えば、シリコ−ン系界面活性剤及びフッ素系界面活性剤が挙げられ、フッ素系界面活性剤が好ましい。
【００８３】
界面活性剤の具体例としては、特開２０１４−１１９６０５号公報の００８２〜００９０段落に記載の化合物、特開２０１２−２０３２３７号公報の００３１〜００３４段落に記載の化合物、特開２００５−９９２４８号公報の００９２段落及び００９３段落に記載の化合物、特開２００２−１２９１６２号公報の００７６〜００７８段落及び００８２〜００８５段落に記載の化合物、並びに、特開２００７−２７２１８５号公報の００１８〜００４３段落に記載の化合物等が挙げられる。
【００８４】
〔被照射体の製造方法〕
上記鑑賞システムに用いられる被照射体の製造方法としては特に制限されないが、部材と重合性液晶組成物とを接触させ、部材上に重合性液晶組成物層を形成する工程と、重合性液晶組成物層に光を照射して、コレステリック液晶層を得る工程と、を含有することが好ましい。
上記接触の方法としては、特に制限されないが、例えば、部材上に重合性液晶組成物を塗布する方法、部材を重合性液晶組成物中に浸漬する方法、及び、部材上に重合性液晶組成物を噴霧する方法が挙げられる。なかでも、噴霧の場合、移設が困難な部材（例えば、大型の構造物等）上に、その部材の設置の場所で、円偏光反射層を設けることができる。
また、上記以外にも、被照射体の製造方法としては、仮支持体上にコレステリック液晶層を形成し、得られたコレステリック液晶層を部材上に転写する方法も挙げられる。
【００８５】
［展示装置］
本発明の実施形態に係る展示装置は、上記鑑賞システムを備える。以下では、上記展示装置について説明する。
【００８６】
〔展示装置の第一の実施形態〕
図５は、本発明の展示装置の第一の実施形態を表す概略図である。
展示装置５００は、光源ユニット５０１と、光源ユニット５０１から出射された光が照射される被照射体５０２とを備える鑑賞システム５０３と、鑑賞システム５０３を覆うように配置されたカバー部材５０４とを備える。
【００８７】
光源ユニット５０１は、図示しない光源と、偏光変換部とを備え、その形態としては既に説明したとおりである。
図５では、光源ユニット５０１は、被照射体５０２の上側に配置されているが、本実施形態に係る展示装置としては、これに制限されない。光源ユニット５０１は、被照射体５０２の下側に配置されてもよいし、被照射体５０２と接していてもよい。
【００８８】
被照射体５０２は、白色不透明の部材と、部材上に配置された第一円偏光反射層とを備える。なお、第一円偏光反射層は光源ユニット５０１側に配置されている。なお、第一円偏光反射層の形態としては既に説明したとおりである。
図５では、展示装置５００は、鑑賞システム５０３を１つ備えるが、本実施形態に係る展示装置としてはこれに制限されない。展示装置は、複数の鑑賞システム５０３を備えていてもよい。
また、図５では、鑑賞システム５０３は、光源ユニット５０１と、被照射体５０２をそれぞれ１つずつ備えるが、本実施形態に係る展示装置が備える鑑賞システム５０３としてはこれに制限されず、複数の光源ユニット５０１、及び／又は、複数の被照射体５０２を備えてもよい。
【００８９】
カバー部材５０４は、鑑賞システム５０３を覆うように配置されている。
カバー部材５０４の材料としては特に制限されないが、例えば無色透明のガラス等が挙げられる。
なお、図５では、展示装置５００は、カバー部材５０４を備えているが、本実施形態に係る展示装置は、カバー部材５０４を備えていなくてもよい。
【００９０】
展示装置５００において、被照射体５０２は、商品を陳列するための棚板としての機能を有する。被照射体５０２の上に展示すべき商品（図示しない）を配置し、光源ユニット５０１から、第一円偏光反射層により反射される右円偏光及び左円偏光のいずれか一方と又は自然光と、第一円偏光反射層により反射される円偏光の旋回方向とは逆向きの円偏光とを切り替えて出射すると、商品の色を変化させることなく、被照射体５０２（棚板）の色を変化させることができる。上記展示装置５００によれば、観察者に対し、商品を強調して見せる（強い印象を与える）ことができる。
【００９１】
なお、被照射体５０２は、部材と、部材上に配置された第一円偏光反射層とを備えるが、本実施形態に係る展示装置としては、これに制限されない。被照射体５０２は、部材と、部材上に配置された第一円偏光反射層と、第一円偏光反射層上に配置された第二円偏光反射層とを備えてもよい。なお、この場合の第一円偏光反射層、及び、第二円偏光反射層については、鑑賞システムの第二の実施形態として既に説明したとおりである。
上記実施形態によれば、光源ユニット５０１から右円偏光と、左円偏光とを切り替えて出射すると、商品の色を変化させることなく、被照射体５０２（棚板）の色を変化させることができる。
【００９２】
また、被照射体５０２は、白色不透明の部材を備えるが、本実施形態に係る展示装置としては、これに制限されない。部材の色は、所望の視覚効果に応じて、任意に選択することができる。なかでも、部材が、無色透明である場合、光源ユニット５０１を被照射体５０２の下側に配置しても所望の視覚効果が得られやすい。
【００９３】
〔展示装置の他の実施形態〕
本発明の他の実施形態に係る展示装置としては、光源ユニットと、上記光源ユニットを覆うように配置された被照射体（透明、又は、無色透明の部材を備える）とを備える鑑賞システムを備える展示装置が挙げられる。上記展示装置は、ショーウィンドウとしての機能を有し、被照射体は、上記展示装置内に展示される商品とともに鑑賞される。
上記展示装置では、光源ユニットは、ショーウィンドウの光源としての機能を有し、被照射体は、光源のランプシェードとしての機能を有する。
光源ユニットから右円偏光と、左円偏光とを切り替えて出射すると、被照射体の色が変化し、被照射体の影の色も変化する。このとき、商品の色は変化しない。
上記展示装置によれば、観察者に対し、商品を強調して見せる（強い印象を与える）ことができる。なお、光源ユニット、被照射体の形態としてはすでに説明したとおりである。
【００９４】
［舞台装置］
本発明の実施形態に係る舞台装置は、上記鑑賞システムを備える。以下では、上記舞台装置について説明する。
【００９５】
〔舞台装置の第一の実施形態〕
図６は、本発明の舞台装置の第一の実施形態を表す概略図である。
舞台装置６００は、天井（図示しない）から吊り下げられた光源ユニット６０１と、光源ユニット６０１から出射された光が照射される被照射体６０２とを備える鑑賞システム６０３と、鑑賞システム６０３が配置された舞台６０５とを備える。なお、上記被照射体６０２は舞台６０５上の人物６０４によって着用されている。
【００９６】
光源ユニット６０１は、図示しない光源と、偏光変換部とを備え、その形態としては既に説明したとおりである。
図６では、光源ユニット６０１は、天井から吊り下げられているが、本実施形態に係る舞台装置としては、これに制限されない。光源ユニット６０１は、舞台６０５上に配置されてもよい。光源ユニット６０１は、舞台６０５上に光を照射することができれば、任意の位置に配置されていればよい。
【００９７】
被照射体６０２は、黒色の布製の衣服である部材と、部材上に粘着層を介して配置された第一円偏光反射層と、第一円偏光反射層上に粘着層を介して配置された第二円偏光反射層とを備えている。
被照射体６０２の部材は、黒色の布製の衣服であるが、これに制限されず、白色の布製の衣服、及び、透明（又は、無色透明）のフィルム製の衣服等であってもよい。部材の材料によって、観察者に知覚される被照射体６０２の色味を制御することができる。
また、被照射体６０２は、部材と、部材上に第一円偏光反射層と、第二円偏光反射層とを備えているが、これに制限されず、被照射体６０２は、部材と、部材上に第一円偏光反射層とを備える形態であってもよい。
被照射体６０２は、部材（例えば、無色透明のフィルム製の衣服）と、部材上に配置された第一円偏光反射層とを備える形態であってもよい。
【００９８】
図６では、舞台装置６００は、鑑賞システム６０３を１つ備えるが、本実施形態に係る舞台装置としてはこれに制限されない。舞台装置は、複数の鑑賞システム６０３を備えていてもよい。
また、図６では、鑑賞システム６０３は、光源ユニット６０１と、被照射体６０２をそれぞれ１つずつ備えるが、本実施形態に係る舞台装置が備える鑑賞システム６０３としてはこれに制限されず、複数の光源ユニット６０１、及び／又は、複数の被照射体６０２を備えてもよい。
【００９９】
光源ユニット６０１から、右円偏光と、左円偏光とを切り替えて出射すると、舞台６０５上の照明色を変化させることなく、人物６０４が着用している被照射体６０２の色を瞬時に変化させることができる。上記舞台装置６００によれば、観察者に対して、強い印象を与えることができる。
【０１００】
別の実施形態として、上述したように、被照射体６０２が、無色透明の部材と、部材上に配置された第一円偏光反射層とを備える実施形態について説明する。
この場合、光源ユニット６０１から、右円偏光と、左円偏光とを切り替えて出射すると、人物６０４が、あたかも衣服を着用していないように見える状態から、舞台６０５上の照明色を変化させることなく、人物６０４が衣服を着用したように見える状態に変化させることができる。
【０１０１】
〔舞台装置の第二の実施形態〕
図７は、本発明の舞台装置の第二の実施形態を表す概略図である。
舞台装置７００は、天井（図示しない）から吊り下げられた光源ユニット７０１と、光源ユニット７０１から出射された光が照射される被照射体７０２とを備える鑑賞システム７０３と、鑑賞システム７０３が配置された舞台７０５とを備える。なお、被照射体７０２は、天井から吊り下げられている。
【０１０２】
光源ユニット７０１は、図示しない光源と、偏光変換部とを備え、その形態としては既に説明したとおりである。
図７では、光源ユニット７０１は、天井から吊り下げられているが、本実施形態に係る舞台装置としては、これに制限されない。光源ユニット７０１は、舞台７０５上に配置されてもよい。光源ユニット７０１は、舞台７０５上に光を照射することができれば、任意の位置に配置されていてもよい。
【０１０３】
被照射体７０２は、無色透明の部材と、部材上に配置された第一円偏光反射層と、第一円偏光反射層上に配置された第二円偏光反射層とを備えている。
図７では、被照射体７０２は、球形であるが、被照射体７０２の形状としてはこれに制限されず、所望の視覚効果を得られる形状を任意に選択することができる。
【０１０４】
図７では、舞台装置７００は、鑑賞システム７０３を１つ備えるが、本実施形態に係る舞台装置としてはこれに制限されない。舞台装置は、複数の鑑賞システム７０３を備えていてもよい。
また、図７では、鑑賞システム７０３は、光源ユニット７０１と、被照射体７０２をそれぞれ１つずつ備えるが、本実施形態に係る舞台装置が備える鑑賞システム７０３としてはこれに制限されず、複数の光源ユニット７０１、及び／又は、複数の被照射体７０２を備えてもよい。
【０１０５】
光源ユニット７０１から、右円偏光と、左円偏光とを切り替えて出射すると、舞台７０５上の照明色を変化させることなく、被照射体７０２、及び、被照射体７０２が舞台７０５上につくる影Ｓの色を瞬時に変化させることができる。また、このとき、被照射体７０２の色（被照射体からの反射光）と影Ｓの色（被照射体からの透過光）が異なる。上記実施形態によれば、舞台装置７００の観察者に対して、強い印象を与えることができる。
【０１０６】
別の実施形態として、被照射体７０２が、無色透明の部材と、部材上に配置された第一円偏光反射層とを備える実施形態について説明する。
この場合、光源ユニット７０１から、右円偏光と、左円偏光とを切り替えて出射すると、被照射体７０２が、無色透明に見える状態から、舞台７０５上の照明色を変化させることなく、被照射体７０２が有色に見える状態に変化させることができる。
【実施例】
【０１０７】
以下に実施例に基づいて本発明を更に詳細に説明する。以下の実施例に示す材料、使用量、割合、処理内容、及び、処理手順等は、本発明の趣旨を逸脱しない限り適宜変更できる。従って、本発明の範囲は以下に示す実施例により限定的に解釈されるべきものではない。【０１０８】
［重合性液晶組成物の調製］
以下の各成分を、表１に記載した組成で混合し、重合性液晶組成物を得た。なお、各重合性液晶組成物の固形分は、重合性液晶組成物２が５質量％、その他の重合性液晶組成物が２０質量％となるよう、溶剤（トルエン。沸点：１１１℃、溶解パラメータ：８．９（ｃａｌ／ｃｍ３）１／２。）で調整した。また、表１中の各数値は、重合性液晶組成物の全固形分に対する、各成分の含有量（質量部）である。【０１０９】
【表１】
0006714715.tif 000004
【０１１０】
表中の各成分については、以下のとおりである。【０１１１】
（液晶化合物）
・液晶化合物Ａ（下記式で表される化合物）
【化３】
0006714715.tif 000005
上記液晶化合物Ａは、特開２０１４−１９８８１４号公報の０１６４段落を参照して合成した。
・液晶化合物Ｂ： パリオカラーＬＣ２４２（ＢＡＳＦ社製）【０１１２】
・キラル剤ａ（下記式で表される化合物）
【化４】
0006714715.tif 000006
【０１１３】
・キラル剤ｂ（下記式で表される化合物）
【化５】
0006714715.tif 000007
【０１１４】
・界面活性剤ａ（下記式で表される化合物）
【化６】
0006714715.tif 000008
【０１１５】
・界面活性剤ｂ（下記式で表される化合物）
【化７】
0006714715.tif 000009
【０１１６】
・重合開始剤（ＩＲＧＡＣＵＲＥ９０７）
【化８】
0006714715.tif 000010
【０１１７】
・増感剤（ＫＡＹＡＣＵＲＥ  ＤＥＴＸ−Ｓ）
【化９】
0006714715.tif 000011
【０１１８】
〔コレステリック液晶層の作製〕
上記各重合性液晶組成物を用いて、ＰＥＴ（Ｐｏｌｙｅｔｈｙｌｅｎｅ  ｔｅｒｅｐｈｔｈａｌａｔｅ）フィルム上に重合性液晶組成物層を形成した。次に上記重合性液晶組成物層を室温で２分間静置した。次に、静置後のＰＥＴフィルムを９０℃のオーブンで２分間加熱した。次に、加熱後のＰＥＴフィルムをオーブンから取り出し、加熱後のＰＥＴフィルムに対して、空気中で５００ｍＪ／ｃｍ２の光を照射して、各重合性液晶組成物層を硬化させて、コレステリック液晶層を得た。
上記コレステリック液晶層について、分光光度計ＵＶ３１５０（島津製作所）を用いて選択反射する偏光方向、及び、選択反射の中心波長を求めた。結果を表２に示した。【０１１９】
【表２】
0006714715.tif 000012
【０１２０】
［実施例１］
部材として無色透明なガラス球（ガラス製の球体）を準備した。上記ガラス球の表面（主面に該当する。）をアルカリ洗剤で洗浄し、汚れを落とした。次に、洗浄後のガラス球を網の上に置き、ガラス製スプレーボトルに詰めた重合性液晶組成物２を、ガラス球に向けて噴霧した。噴霧した重合性液晶組成物２でガラス球の表面の全面が十分に濡れた（重合性液晶組成物層２が形成された）こと確認した後、噴霧後のガラス球を室温で２分間静置した。静置後のガラス球を、白色光下で観察したところ緑色に観察された。次に、静置後のガラス球を９０℃のオーブンで２分間加熱した。次に、加熱後のガラス球をオーブンから取り出し、加熱後のガラス球に対して、空気中で５００ｍＪ／ｃｍ２の光を照射して、重合性液晶組成物層２を硬化させて円偏光反射層（コレステリック液晶相を固定してなる層Ｂを含有する）を得た。これにより、白色光下で、上記静置後のガラス球より鮮やかな緑色の構造色を呈する被照射体１を得た。【０１２１】
次に、黒背景のドーム状簡易スタジオ内にガラス製の台を配置し、台の下に光源ユニットを配置した。なお、光源ユニットは、白色ＬＥＤライトと、光軸上に着脱可能に配置された右偏光板とを備えていた。
次に、上記ガラス製の台の上に、被照射体１を配置した。次に、上記白色ＬＥＤライトを点灯した。このとき、被照射体は、強い緑の構造色を呈した。また、このとき、上記ドーム状簡易スタジオのドーム部分（内側、天井部）の被照射体１の影はマゼンタ色を呈した。すなわち、被照射体１の影を観察したところ、マゼンタ色だった。【０１２２】
次に、上記光源ユニット中の、着脱可能に配置された右偏光板を取り除き、上記右円偏光板に代えて、左円偏光板を配置した。
このとき、被照射体１は無色だった。
また、このとき、上記ドーム状簡易スタジオのドーム部分（内側、天井部）の被照射体１の影は白色だった。【０１２３】
［実施例２］
部材として、無色透明なＰＥＴフィルムを準備した。上記ＰＥＴフィルム上に、バーコータを用いて、重合性液晶組成物３を塗布し、重合性液晶組成物層３を得た。次に、塗布後のＰＥＴフィルムを室温で２分間静置した。静置後のＰＥＴフィルムを白色光下で観察すると赤色だった。次に、静置後のＰＥＴフィルムを９０℃のオーブンで２分間加熱した。次に、加熱後のＰＥＴフィルムをオーブンから取り出し、加熱後のＰＥＴフィルムに対して、空気中で５００ｍＪ／ｃｍ２の光を照射して、重合性液晶組成物層３を硬化させ、円偏光反射層２−１（コレステリック液晶相を固定してなる層Ｃを含有する）を得た。これにより、上記静置後のＰＥＴフィルムより鮮やかな赤色の構造色を呈するＰＥＴフィルムを得た。次に、上記円偏光反射層２−１上に、更に、バーコータを用いて、重合性液晶組成物５を塗布し、既に説明した重合性液晶組成物層３と同様の方法で硬化させて円偏光反射層２−２（コレステリック液晶相を固定してなる層Ｅを含有する）を得た。これにより、白色光下で、黄緑色の構造色を呈する被照射体２を得た。被照射体２のこのフィルムの円偏光反射層面（円偏光反射層２−１、及び、円偏光反射層２−２を備える側の面）を多層の花弁を有する造花の形状に加工した。【０１２４】
次に、白背景のドーム状簡易スタジオのドーム部分（内側、天井部）から、上記造花を吊り下げた。このとき、円偏光反射層が上記スタジオの床面（下側）を向くようにした。次に、上記スタジオの床面に、光源ユニットを配置した。なお、上記光源ユニットは、白色ＬＥＤライトと、光軸上に配置された偏光変換部とを備えていた。なお、上記偏光変換部は、直線偏光板と、直線偏光板上に回転可能に配置された、波長５５０ｎｍにおける面内レタデーションＲｅ（５５０）が１４０ｎｍである位相差板とを備えていた。
次に、直線偏光板面側から位相差板を観察した際、直線偏光板の透過軸方向を０°とし、位相差板の遅相軸が４５°となるように調整して、上記白色ＬＥＤライトを点灯し、上記位相差板を時計回りに回転させた。なお、上記角度は、直線偏光板面側から位相差板を観察した際、直線偏光板の透過軸方向を０°とし、時計回り（右回り）を負の角度値で表す。
このとき、被照射体２の色は、上記位相差板を４５°回転させる毎に赤、黄緑、緑、そして、黄緑と繰り返し変化した。
また、このとき、上記ドーム状簡易スタジオのドーム部分（内側、天井部）の被照射体の影は、シアン、青紫、マゼンタ、そして、青紫と変化した。【０１２５】
［実施例３］
部材として黒色不透明なアクリル樹脂製の六面体を準備した。上記六面体を、重合性液晶組成物３にディップ（浸漬）した後に引き上げ、六面体上に重合性液晶組成物層３を形成した。次に、浸漬後の六面体を網の上で２分間静置した。静置後の六面体を、白色光下で観察したところ、赤色だった。次に、静置後の六面体を９０℃のオーブンで２分間加熱した。次に、加熱後の六面体をオーブンから取り出し、加熱後の六面体に対して、空気中で５００ｍＪ／ｃｍ２の光を照射して硬化させて、円偏光反射層３−１（コレステリック液晶相を固定してなる層Ｃを含有する）を得た。これにより、白色光下で、上記静置後の六面体より鮮やかな赤色の構造色を呈する六面体を得た。次に、上記硬化後の六面体を、更に重合性液晶組成物４にディップした後に引き上げ、円偏光反射層３−１と同様の方法で硬化させて円偏光反射層３−２（コレステリック液晶相を固定してなる層Ｄを含有する）を得た。これにより、白色光下で、赤紫色の構造色を呈する被照射体３を得た。【０１２６】
次に、被照射体３を台上に置き、この被照射体３を照らすことができる位置に光源ユニットを配置した。なお、上記光源ユニットは、メタルハライドランプと、光軸上に配置された偏光変換部とを備えていた。なお、上記偏光変換部は、回転可能に配置された波長５５０ｎｍにおける面内レタデーションＲｅ（５５０）が１２５ｎｍである位相差板と、直線偏光板と、を備えていた。
次に、直線偏光板面側から位相差板を観察した際、直線偏光板の透過軸方向を０°とし、位相差板の遅相軸が４５°となるように調整して、メタルハライドランプを点灯し、上記位相差板を時計回りに回転させていくと、被照射体３の色は、上記位相差板を４５°回転させる毎には、赤、赤紫、青、そして、赤紫と変化した。【０１２７】
［実施例４］
仮支持体として、無色透明なＰＥＴフィルムを準備した。上記ＰＥＴフィルム上に、バーコータを用いて、重合性液晶組成物１を塗布し、重合性液晶組成物層１を得た。次に、塗布後のＰＥＴフィルムを室温で２分間静置した。静置後のＰＥＴフィルムを白色光下で観察すると青色だった。次に、静置後のＰＥＴフィルムを９０℃のオーブンで２分間加熱した。次に、加熱後のＰＥＴフィルムをオーブンから取り出し、加熱後のＰＥＴフィルムに対して、空気中で５００ｍＪ／ｃｍ２の光を照射して、重合性液晶組成物層１を硬化させ、円偏光反射層４−１（コレステリック液晶相を固定してなる層Ａを含有する）を得た。これにより、上記静置後のＰＥＴフィルムより鮮やかな青色の構造色を呈するＰＥＴフィルム（Ｔ１）を得た。【０１２８】
次に、仮支持体として、新たに、無色透明なＰＥＴフィルムを準備した。上記ＰＥＴフィルムの主面上に、バーコータを用いて、重合性液晶組成物６を塗布し、重合性液晶組成物層６を得た。既に説明した重合性液晶組成物１と同様の方法で硬化させて、円偏光反射層４−２（コレステリック液晶相を固定してなる層Ｆを含有する）を得た。これにより、白色光下で、赤色の構造色を呈するＰＥＴフィルム（Ｔ２）を得た。【０１２９】
次に、部材として黒色のシャツを準備した。次に、上記黒色のシャツ上に、円の形状にカットした透明粘着シートを貼りつけた。
次に、ＰＥＴフィルム（Ｔ１）を、円偏光反射層４−１を上記透明粘着シート側になるようにして上記黒色のシャツに貼り合わせ、円偏光反射層４−１を黒色のシャツに貼りつけ、その後、仮支持体を除去した。次に、円偏光反射層４−１上に、上記と同様の形状にカットした透明粘着シートを貼りつけた。その後、同様にして、ＰＥＴフィルム（Ｔ２）から、円偏光反射層４−２を、円偏光反射層４−１上に転写して、部材上に、円偏光反射層４−１と、粘着層と、円偏光反射層４−２をこの順に備える被照射体４を得た。【０１３０】
次に、この被照射体４に、実施例３に記載した光源からの光を照射した。被照射体４の色は、位相差板を４５°回転させる毎に、青、青紫、赤、そして、青紫と変化した。【０１３１】
［実施例５］
上記被照射体４の作製において、部材として用いた黒色のシャツに代えて、白色のシャツを用いたこと以外は実施例４と同様にして、部材上に円偏光反射層５−１（コレステリック液晶相を固定してなる層Ａ）と、円偏光反射層５−２（コレステリック液晶相を固定してなる層Ｆ）とを備える被照射体５を得た。
次に、この被照射体５に、実施例３に記載した光源からの光を照射した。被照射体５の色は、位相差板を４５°回転させる毎に、イエロー、青緑、シアン、そして、青緑と変化した。
上記実施例１〜５について、結果を表３にまとめて示した。【０１３２】
【表３】
0006714715.tif 000013
【０１３３】
なお、表３に示した結果から、実施例１〜５の鑑賞システムは本発明の効果を有していた。
無色透明な部材上に第一円偏光反射層を備える被照射体を備える実施例１の鑑賞システム、並びに、無色透明な部材上に第一円偏光反射層、及び、第二円偏光反射層を備える実施例２の鑑賞システムは、光源ユニットより出射される光を切り替えることにより、被照射体の色（反射光）、及び、影の色が変化した。
また、被照射体が黒色不透明な部材を備える実施例４の鑑賞システムと、被照射体が白色不透明な部材を備える実施例５の鑑賞システムでは、反射光の色味（被照射体の色味）が異なることがわかった。【０１３４】
［実施例Ｃ］
重合性液晶組成物２の調製において、液晶化合物Ｂに代えて、下記の式で表される液晶化合物Ｃを用いたこと以外は同様にして、重合性液晶組成物ｃを調製した。
その後、重合性液晶組成物２に代えて、重合性液晶組成物ｃを用いたこと以外は実施例と同様にして、鑑賞システムを作製したところ、実施例１と同様の結果だった。【０１３５】
・液晶化合物Ｃ（下記式で表される化合物）
【化１０】
0006714715.tif 000014
上記液晶化合物Ｃは、特開２０１４−１９８８１４号公報の０１３３段落を参照して合成した。
【符号の説明】
【０１３６】
１００、３００、４００、５０３、６０３、７０３  鑑賞システム
１０１、３０１、５０１、６０１、７０１  光源ユニット
１０２  光源
１０３  偏光変換部
１０４、３０２、４０１、５０２、６０２、７０２  被照射体
１０５  第一円偏光反射層
１０６  部材
２００  偏光変換部
２０１  λ／４波長板
２０２  直線偏光板
３０３  台
４０２  第二円偏光反射層
５０４  カバー部材
６０４  人物
６０５、７０５  舞台
Ａ  観察者
Ｂ  観察者
Ｌ  光
Ｓ  影
【図１】
0006714715.tif 000015
【図２】
0006714715.tif 000016
【図３】
0006714715.tif 000017
【図４】
0006714715.tif 000018
【図５】
0006714715.tif 000019
【図６】
0006714715.tif 000020
【図７】
0006714715.tif 000021